(57)【要約】【課題】データの送信頻度の高い宛先候補のみを限定して表示部に表示する画像読取装置を提供する。【解決手段】原稿の画像を読み取り、原稿の画像データを生成する画像読取部１６と、ＨＣ３０の識別情報を登録する情報記憶部１２ａと、原稿の画像データの送信時に、情報記憶部に登録されたホストコンピュータの識別情報をデータ送信の宛先候補として表示する表示部１４と、表示部に表示された宛先候補の中からオペレータによってデータ送信に使用される宛先の選択を受け付ける入力部（操作部１３）と、ホストコンピュータの識別情報の、前回の使用日時以降又は登録日時以降の経過時間を計測する時間監視部１１ｂと、各部の動作を制御する主制御部１１ａとを有し、主制御部は、時間監視部によって計測された経過時間が所定の保存有効時間を超えるホストコンピュータの識別情報を情報記憶部から削除する。【選択図】図１
2013074366.tif 000002
【特許請求の範囲】
【請求項１】
原稿の画像を読み取り、原稿の画像データを、ネットワークを介して接続されたホストコンピュータに送信する画像読取装置において、
前記原稿の画像を読み取り、前記原稿の画像データを生成する画像読取部と、
前記ホストコンピュータの識別情報を登録する情報記憶部と、
前記原稿の画像データの送信時に、前記情報記憶部に登録された前記ホストコンピュータの識別情報をデータ送信の宛先候補として表示する表示部と、
前記表示部に表示された宛先候補の中からオペレータによってデータ送信に使用される宛先の選択を受け付ける入力部と、
前記ホストコンピュータの識別情報の、前回の使用日時以降又は登録日時以降の経過時間を計測する時間監視部と、
各部の動作を制御する主制御部とを有し、
前記主制御部は、
前記時間監視部によって計測された前記経過時間が所定の保存有効時間を超える前記ホストコンピュータの識別情報を前記情報記憶部から削除する
ことを特徴とする画像読取装置。
【請求項２】
請求項１に記載の画像読取装置において、
前記主制御部は、前記ホストコンピュータの識別情報毎に、使用日時情報及び登録日時情報のいずれか一方又は双方を含む所定の情報を、登録宛先情報として、前記情報記憶部に登録しておき、
前記時間監視部は、前記情報記憶部に登録された前記使用日時情報又は前記登録日時情報のいずれか一方の時刻から現在時刻の差分を算出することによって、前記経過時間を計測する
ことを特徴とする画像読取装置。
【請求項３】
請求項２に記載の画像読取装置において、
前記主制御部は、前記原稿の画像データの送信時に、前記情報記憶部に登録された、宛先として用いられた前記ホストコンピュータの識別情報の前記使用日時情報を更新する
ことを特徴とする画像読取装置。
【請求項４】
請求項１乃至請求項３のいずれか一項に記載の画像読取装置において、
前記主制御部は、前記入力部から前記ホストコンピュータの識別情報の削除指示を受け付けた場合にも、指示された前記ホストコンピュータの識別情報を前記情報記憶部から削除する
ことを特徴とする画像読取装置。
【請求項５】
請求項１乃至請求項４のいずれか一項に記載の画像読取装置において、
前記主制御部は、前記ホストコンピュータから、当該ホストコンピュータをデータ送信の宛先候補として登録させるための、当該ホストコンピュータの識別情報を含む宛先登録要求コマンドを受信した場合に、当該宛先登録要求コマンドに基づいて、当該ホストコンピュータの識別情報を前記情報記憶部に登録する
ことを特徴とする画像読取装置。
【請求項６】
請求項１乃至請求項５のいずれか一項に記載の画像読取装置において、
前記情報記憶部は、前記ホストコンピュータの識別情報を一時的に登録する一時記憶部と前記ホストコンピュータの識別情報を永続的に登録する永続記憶部とによって構成されており、
前記主制御部は、前記ホストコンピュータの識別情報を前記一時記憶部に登録させた後、当該ホストコンピュータの識別情報の永続的な登録指示を受け付け場合に、前記一時記憶部に登録された当該識別情報を前記永続記憶部に登録させる
ことを特徴とする画像読取装置。
【請求項７】
ネットワークを介して画像読取装置と接続されたコンピュータを、
オペレータからデータ送信の宛先候補として自身を前記画像読取装置に登録させる登録指示を受け付けた場合に、当該登録指示に基づいて、自身の識別情報と当該自身の識別情報の保存有効時間を規定する保存有効時間情報とを含む、宛先登録要求コマンドを前記画像読取装置に送信する登録手段として機能させる
ことを特徴とするプログラム。
【請求項８】
請求項１乃至請求項６のいずれか一項に記載の画像読取装置と、
請求項７に記載されたプログラムがインストールされたコンピュータとを有する
ことを特徴とする画像読取システム。
【発明の詳細な説明】
【技術分野】
【０００１】
本発明は、原稿の画像を読み取る画像読取装置、及び、コンピュータをデータ送信の宛先候補として自身を画像読取装置に登録させる登録手段として機能させるプログラム、並びに、当該画像読取装置及び当該プログラムがインストールされたコンピュータを用いる画像読取システムに関する。
【背景技術】
【０００２】
従来、ネットワークを介して接続された画像読取装置とホストコンピュータとを有する画像読取システムがある。画像読取装置は、例えば、オペレータが所定の操作を行うと、その操作をトリガにして、原稿の画像を読み取り、ホストコンピュータと通信して、読み取られた原稿の画像データをホストコンピュータに送信する。なお、オペレータの操作をトリガにして、原稿の画像読取動作と原稿の画像データの送信動作とを連続して行う画像読取装置の機能は、一般に、「プッシュスキャン機能」と称される。
【０００３】
画像読取装置は、画像データをホストコンピュータに送信する際に、事前に登録されたデータ送信の宛先候補のリストを表示部に表示し、オペレータがリストの中からデータ送信に使用される所望の宛先を選択すると、選択された宛先に対して画像データを送信する。なお、画像読取装置への宛先候補の登録は、オペレータがホストコンピュータを操作して行うのが一般的である（例えば、特許文献１参照）。
【先行技術文献】
【特許文献】
【０００４】
【特許文献１】特開２００６−３３０８６号公報
【発明の概要】
【発明が解決しようとする課題】
【０００５】
従来の画像読取装置は、以下に説明するように、オペレータに煩雑な操作を強いる場合がある、という課題があった。
【０００６】
一般に、画像読取装置は、できるだけ小型でかつコストの高騰が抑制された構成になることが望まれている。そのため、従来の画像読取装置は、小サイズで、解像度の低い、簡素な機能の表示部しか搭載されていなかった。
【０００７】
しかしながら、これにより、従来の画像読取装置は、すべてのホストコンピュータを宛先候補として表示部に一度に表示できないことが多かった。そのため、オペレータは、画面をスクロールさせながら、所望の宛先候補を探索する必要があり、これによって、煩雑な操作を強いられていた。
【０００８】
本発明は、前記した課題を解決するためになされたものであり、データの送信頻度の高い宛先候補のみを限定して表示部に表示する画像読取装置を提供することを主な目的とする。
また、本発明は、コンピュータを、データ送信の宛先候補として自身を画像読取装置に登録させる登録手段として機能させるプログラムを提供することを副次的な目的とする。
さらに、本発明は、画像読取装置に対して、データの送信頻度の高い宛先候補のみを限定して表示部に表示させること、及び、画像読取装置に対して、コンピュータの識別情報をデータ送信の宛先候補の情報として登録させることができる画像読取システムを提供することを副次的な目的とする。
【課題を解決するための手段】
【０００９】
前記目的を達成するため、第１発明は、原稿の画像を読み取り、原稿の画像データを、ネットワークを介して接続されたホストコンピュータに送信する画像読取装置であって、前記原稿の画像を読み取り、前記原稿の画像データを生成する画像読取部と、前記ホストコンピュータの識別情報を登録する情報記憶部と、前記原稿の画像データの送信時に、前記情報記憶部に登録された前記ホストコンピュータの識別情報をデータ送信の宛先候補として表示する表示部と、前記表示部に表示された宛先候補の中からオペレータによってデータ送信に使用される宛先の選択を受け付ける入力部と、前記ホストコンピュータの識別情報の、前回の使用日時以降又は登録日時以降の経過時間を計測する時間監視部と、各部の動作を制御する主制御部とを有し、前記主制御部は、前記時間監視部によって計測された前記経過時間が所定の保存有効時間を超える前記ホストコンピュータの識別情報を前記情報記憶部から削除する構成とする。
【００１０】
この画像読取装置の主制御部は、時間監視部によって計測された経過時間が所定の保存有効時間を超えるホストコンピュータの識別情報を情報記憶部から削除する。そのため、この画像読取装置は、時間監視部によって計測された経過時間が所定の保存有効時間を超えないホストコンピュータ（すなわち、データの送信頻度が高いホストコンピュータ）の識別情報のみを、宛先候補として表示部に表示する。したがって、この画像読取装置は、データの送信頻度の高い宛先候補のみを限定して表示部に表示することができる。
【００１１】
また、第２発明は、プログラムに関する発明であって、ネットワークを介して画像読取装置と接続されたコンピュータを、オペレータからデータ送信の宛先候補として自身を前記画像読取装置に登録させる登録指示を受け付けた場合に、当該登録指示に基づいて、自身の識別情報と当該自身の識別情報の保存有効時間を規定する保存有効時間情報とを含む、宛先登録要求コマンドを前記画像読取装置に送信する登録手段として機能させる構成とする。
【００１２】
このプログラムがインストールされたコンピュータは、オペレータからデータ送信の宛先候補として自身を画像読取装置に登録させる登録指示を受け付けた場合に、登録指示に基づいて、自身の識別情報と保存有効時間情報とを含む宛先登録要求コマンドを画像読取装置に送信する。宛先登録要求コマンドは、このコンピュータの識別情報を含んでおり、その識別情報をデータ送信の宛先候補として画像読取装置に登録させる。したがって、このプログラムがインストールされたコンピュータは、自身の識別情報をデータ送信の宛先候補の情報として画像読取装置に登録させることができる。しかも、宛先登録要求コマンドは、保存有効時間情報を含んでいる。そのため、プログラムがインストールされたコンピュータは、画像読取装置に、保存有効時間を超える識別情報を削除させることができる。
【００１３】
また、第３発明は、画像読取システムに関する発明であって、第１発明に係る画像読取装置と、第２発明に係るプログラムがインストールされたコンピュータとを有する構成とする。
【００１４】
この画像読取システムは、第１発明に係る画像読取装置と、第２発明に係るプログラムがインストールされたコンピュータとを用いる構成となっている。そのため、この画像読取システムは、画像読取装置に対して、データの送信頻度の高い宛先候補のみを限定して表示部に表示させることができる。また、この画像読取システムは、画像読取装置に対して、コンピュータの識別情報をデータ送信の宛先候補の情報として登録させることができる。
【発明の効果】
【００１５】
第１発明によれば、データの送信頻度の高い宛先候補のみを限定して表示部に表示する画像読取装置を提供することができる。
また、第２発明によれば、コンピュータをデータ送信の宛先候補として自身を画像読取装置に登録させる登録手段として機能させるプログラムを提供することができる。
さらに、第３発明によれば、画像読取装置に対して、データの送信頻度の高い宛先候補のみを限定して表示部に表示させること、及び、画像読取装置に対して、コンピュータの識別情報をデータ送信の宛先候補の情報として登録させることができる画像読取システムを提供することができる。
【図面の簡単な説明】
【００１６】
【図１】実施形態１に係る画像読取システムの構成を示すブロック図である。
【図２】実施形態１に係る画像読取システムの宛先情報登録時の動作を示すフローチャートである。
【図３Ａ】実施形態１に係る画像読取システムのプッシュスキャン機能実行時の動作を示すフローチャート（１）である。
【図３Ｂ】実施形態１に係る画像読取システムのプッシュスキャン機能実行時の動作を示すフローチャート（２）である。
【図４】実施形態１に係る画像読取システムの登録宛先情報削除時の動作を示すフローチャートである。
【図５】スキャンアプリのユーザインタフェース画面の一例を示す図である。
【図６Ａ】宛先登録要求コマンドの一例を示す図である。
【図６Ｂ】登録宛先情報の一例を示す図である。
【図７】実施形態１に係る画像読取装置の表示画面の一例を示す図である。
【図８】実施形態２に係る画像読取システムの構成を示すブロック図である。
【図９Ａ】実施形態２に係る画像読取システムのプッシュスキャン機能実行時の動作を示すフローチャート（１）である。
【図９Ｂ】実施形態２に係る画像読取システムのプッシュスキャン機能実行時の動作を示すフローチャート（２）である。
【図９Ｃ】実施形態２に係る画像読取システムのプッシュスキャン機能実行時の動作を示すフローチャート（３）である。
【図１０Ａ】宛先登録要求コマンドの変形例を示す図である。
【図１０Ｂ】登録宛先情報の変形例を示す図である。
【発明を実施するための形態】
【００１７】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１８】
［実施形態１］
＜画像読取システムの構成＞
以下、図１を参照して、本実施形態１に係る画像読取システムの構成につき説明する。なお、図１は、実施形態１に係る画像読取システムの構成を示す図である。
【００１９】
図１に示すように、画像読取システム１は、画像読取装置１０とホストコンピュータ（以下、「ＨＣ」と称する）３０とを有している。画像読取装置１０は、原稿の画像を読み取り、読み取られた原稿の画像データをＨＣ３０に送信する装置である。ＨＣ３０は、画像読取装置１０から原稿の画像データを受信する画像読取装置１０の上位装置である。
【００２０】
画像読取装置１０とＨＣ３０とは、互いに、ネットワーク５０を介して接続されている。なお、図１に示す例では、画像読取システム１は、１台の画像読取装置１０と１台のＨＣ３０とが接続された構成となっている。しかしながら、画像読取システム１は、任意の台数の画像読取装置１０と任意の台数のＨＣ３０とが接続された構成となっていてもよい。以下、まず、画像読取装置１０の構成を説明し、次に、ＨＣ３０の構成を説明する。
【００２１】
（画像読取装置の構成）
画像読取装置１０は、スキャナ装置として構成されている場合もあれば、ＭＦＰとして構成されている場合もある。なお、「ＭＦＰ」とは、Ｍｕｌｔｉ  Ｆｕｎｃｔｉｏｎ  Ｐｒｉｎｔｅｒの略称で、プリンタに、スキャナ機能や、コピー機能、ファクシミリ機能等を付加した装置である。ここでは、画像読取装置１０がＭＦＰとして構成されている場合を想定して説明する。
【００２２】
画像読取装置１０は、制御部１１、記憶部１２、操作部１３、表示部１４、通信部１５、及び、画像読取部１６を有している。なお、画像読取装置１０は、オペレータに対して各種のアナウンスを音声出力するための、図示せぬ音声出力部を有していてもよい。
【００２３】
制御部１１は、画像読取装置１０全体の動作を制御する機能手段である。制御部１１は、ＣＰＵによって構成されている。本実施形態１では、制御部１１を構成するＣＰＵは、記憶部１２に記憶された制御プログラムを実行することにより、主制御部１１ａ、時間監視部１１ｂ、及び、画像処理部１１ｃとして機能する。
【００２４】
主制御部１１ａは、各部の動作を制御する機能手段である。
時間監視部１１ｂは、ＨＣ３０の後記する識別情報の前回の使用日時（ただし、登録日時にすることも可能）以降の経過時間を計測する機能手段である。
画像処理部１１ｃは、画像読取部１６によって読み取られ原稿の画像データに対し、所定の画像処理を施す機能手段である。
【００２５】
記憶部１２は、各種のデータを記憶する記憶手段である。記憶部１２は、ＲＯＭやＲＡＭ等によって構成される。本実施形態１では、記憶部１２は、情報記憶部１２ａ、及び、画像データ蓄積部１２ｂに区画されている。
【００２６】
情報記憶部１２ａは、ネットワーク５０を介してＨＣ３０から受信したＨＣ３０の識別情報を記憶する記憶領域である。
画像データ蓄積部１２ｂは、画像読取部１６によって生成され、画像処理部１１ｃによって所定の画像処理が施された原稿の画像データを蓄積する記憶領域である。
【００２７】
操作部１３は、オペレータの操作を受け付ける構成要素である。操作部１３は、特許請求の範囲に記載された「入力部」に相当する。なお、ここでは、操作部１３は、表示部１４と一体化されたタッチパネルとして構成されている場合を想定して説明する。したがって、ここでは、画像読取装置１０での後記する「選択」動作は、オペレータが表示部１４に表示された各種のボタンや情報の表示箇所をタッチパネルで押下することによって、行われるものとする。
【００２８】
表示部１４は、オペレータに対して各種の情報を表示出力する構成要素である。表示部１４は、ＬＥＤやＬＣＤ等によって構成される。
通信部１５は、ネットワーク５０を介してＨＣ３０を含む外部装置とデータを送受信する構成要素である。
画像読取部１６は、原稿の画像を読み取る構成要素である。
【００２９】
（ホストコンピュータの構成）
ここでは、ＨＣ３０がパーソナルコンピュータとして構成されている場合を想定して説明する。ＨＣ３０は、制御部３１、記憶部３２、操作部３３、表示部３４、及び、通信部３５を有している。なお、ＨＣ３０は、オペレータに対して各種のアナウンスを音声出力するための、図示せぬ音声出力部を有していてもよい。
【００３０】
制御部３１は、ＨＣ３０全体の動作を制御する機能手段である。制御部３１は、ＣＰＵによって構成されている。制御部３１では、ＨＣ３０全体の動作を管理し、種々のアプリケーションプログラムに共通する利用環境を提供するための基本的なプログラムであるオペレーティングシステム（以下、「ＯＳ」と称する）が動作している。本実施形態１では、制御部３１を構成するＣＰＵは、記憶部３２に記憶された制御プログラムを実行することにより、スキャンアプリ制御部３１ａ、プッシュスキャン開始要求監視部３１ｂ、画像加工処理部３１ｃ、及び、スキャナ制御部３１ｄとして機能する。
【００３１】
スキャンアプリ制御部３１ａは、後記するスキャンアプリ６０を実行することにより、プッシュスキャン機能を画像読取装置１０に提供する機能手段である。
プッシュスキャン開始要求監視部３１ｂは、画像読取装置１０からのプッシュスキャン機能の開始要求が受信されているか否かを監視する機能手段である。
画像加工処理部３１ｃは、画像読取装置１０から受信された画像データに対して、所定の画像加工処理を施す機能手段である。
スキャナ制御部３１ｄは、画像読取装置１０のスキャナ機能を制御する機能手段である。
【００３２】
記憶部３２は、各種のデータを記憶する記憶手段である。記憶部３２は、ＲＯＭや、ＲＡＭ、ＨＤＤ（ハードディスクドライブ装置）等によって構成される。本実施形態１では、記憶部３２は、設定記憶部３２ａ、アプリ記憶部３２ｂ、データ保存部３２ｃ、及び、前記した「ＯＳ」や各種のプログラムを記憶するプログラム記憶部（図示せず）に区画されている。
【００３３】
設定記憶部３２ａは、画像読取装置１０のプッシュスキャン機能に関する様々な設定情報を記憶する記憶領域である。
アプリ記憶部３２ｂは、各種のアプリケーションプログラム（以下、「アプリ」と称する）を記憶する記憶領域である。アプリ記憶部３２ｂに記憶されるアプリとしては、例えば、スキャンアプリ６０がある。スキャンアプリ６０は、画像読取装置１０にプッシュスキャン機能を実行させるためのプログラムである。
データ保存部３２ｃは、画像読取装置１０から受信された画像データ（ただし、画像加工処理部３１ｃによって所定の画像加工処理が施された画像データを含む）を保存する記憶領域である。
【００３４】
操作部３３は、オペレータの操作を受け付ける構成要素である。なお、ここでは、操作部３３は、マウス等の座標入力装置として構成されている場合を想定して説明する。したがって、ここでは、ＨＣ３０での後記する「選択」動作は、オペレータが表示部３４に表示された各種のボタンや情報の表示箇所を座標入力装置で指定することによって、行われるものとする。ただし、操作部３３は、キーボードやその他の入力装置によって構成することもできる。
【００３５】
表示部３４は、オペレータに対して各種の情報を表示出力する構成要素である。表示部３４は、ＬＥＤやＬＣＤ等によって構成される。
通信部３５は、ネットワーク５０を介して画像読取装置１０を含む外部装置とデータを送受信する構成要素である。
【００３６】
＜画像読取システムの動作＞
係る構成において、画像読取装置１０は、例えば、オペレータが所定の操作を行うと、その操作をトリガにして、画像読取部１６によって原稿の画像を読み取り、ＨＣ３０と通信して、読み取られた原稿の画像データをＨＣ３０に送信する。
【００３７】
以下、画像読取システム１の動作につき説明する。なお、各装置は、図示せぬタイマによって計測された時間に基づいて動作する。また、各装置の動作は、各装置の記憶部に読み出し自在に予め格納された制御プログラムによって規定されており、各装置の制御部によって実行される。また、装置間の通信は、受信側の装置が通信によって受信されたデータを記憶部に一旦格納し、その後に、データを記憶部から読み出すことによって、行われる。また、各データは、記憶部に読み出し自在に一旦格納されてから、その後の処理を行う所要の構成要素に出力される。以下、これらの点については、情報処理では常套手段であるので、その詳細な説明を省略する。
【００３８】
画像読取システム１の動作を大別すると、（１）宛先情報登録時の動作、（２）プッシュスキャン機能実行時の動作、及び、（３）登録宛先情報削除時の動作に分類される。
【００３９】
以下、まず、図２を参照して、画像読取システム１の宛先情報登録時の動作につき説明し、次に、図３Ａ及び図３Ｂを参照して、画像読取システム１のプッシュスキャン機能実行時の動作につき説明し、さらに、図４を参照して、画像読取システム１の登録宛先情報削除時の動作につき説明する。なお、図２は、実施形態１に係る画像読取システムの宛先情報登録時の動作を示すフローチャートである。また、図３Ａ及び図３Ｂは、それぞれ、実施形態１に係る画像読取システムのプッシュスキャン機能実行時の動作を示すフローチャートである。図４は、実施形態１に係る画像読取システムの登録宛先情報削除時の動作を示すフローチャートである。
【００４０】
（１）宛先情報登録時の動作
画像読取システム１は、ＨＣ３０及び画像読取装置１０に電源が投入されることにより、処理を開始する。ここでは、図２に示すように、まず、ＨＣ３０は、オペレータによって操作部３３が操作されて、スキャンアプリ６０が起動される（Ｓ１０５）。
【００４１】
ＨＣ３０のスキャンアプリ制御部３１ａは、スキャンアプリ６０が起動すると、ユーザインタフェース画面２００（図５参照）を表示部３４に表示させる（Ｓ１１０）。
【００４２】
なお、図５は、スキャンアプリのユーザインタフェース画面の一例を示す図である。「ユーザインタフェース画面２００」は、スキャンアプリ６０の機能を利用するための画面である。以下、「ユーザインタフェース画面２００」を「ＵＩ２００」と称する。
【００４３】
ここでは、ＵＩ２００には、プッシュスキャン宛先登録ボタン２０１、プルスキャン開始ボタン２０２、読取条件設定ボタン２０３、及び、受信画像データの取扱設定ボタン２０４が表示されるものとする。
【００４４】
ここで、「プッシュスキャン宛先登録ボタン２０１」は、原稿の画像データの送信の宛先としてＨＣ３０を登録するモードを、画像読取装置１０に実行させるためのボタンである。
【００４５】
「プルスキャン開始ボタン２０２」は、ＨＣ３０が主体となって、原稿の画像の読み取りを画像読取装置１０に実行させるためのボタンである。なお、「プルスキャン」に対して、オペレータが画像読取装置１０を操作することにより、画像読取装置１０が主体となって、原稿の画像の読み取りを実行する場合を、「プッシュスキャン」と称する。
【００４６】
「読取条件設定ボタン２０３」は、読取条件の設定を画像読取装置１０に登録させるためのボタンである。読取条件の設定としては、例えば、原稿の種類や、原稿のサイズ、解像度等がある。原稿の種類としては、例えば、カラー文書や白黒文書等がある。原稿のサイズとしては、例えば、Ａ４やＢ５等がある。解像度としては、例えば、３００ｄｐｉ（ｄｏｔ  ｐｅｒ  ｉｎｃｈ）等がある。
【００４７】
「受信画像データの取扱設定ボタン２０４」は、受信画像データの取扱設定をＨＣ３０の設定記憶部３２ａに登録するためのボタンである。受信画像データの取扱設定としては、例えば、画像データの変換や、画像データの保存領域、ファイル名等がある。
【００４８】
ここでは、Ｓ１１０において、ＵＩ２００が表示部３４に表示されると、オペレータは、ＵＩ２００の中からプッシュスキャン宛先登録ボタン２０１を押下するものとする。これに応答して、ＨＣ３０のスキャンアプリ制御部３１ａは、プッシュスキャン宛先登録ボタン２０１の押下を検出する（Ｓ１１５）。
【００４９】
すると、ＨＣ３０のスキャンアプリ制御部３１ａは、ネットワーク５０を介して、自身が提供するプッシュスキャン機能に対応した１乃至複数の端末（画像読取装置１０）を検出し（Ｓ１２０）、検出された１乃至複数の画像読取装置１０から画像読取装置１０を識別するための情報（以下、「装置識別情報」と称する）を取得する。そして、ＨＣ３０のスキャンアプリ制御部３１ａは、装置識別情報のリストを対応端末情報として表示部３４に表示させる（Ｓ１２５）。なお、「装置識別情報」としては、例えば、装置名や、ＩＰアドレス等がある。
【００５０】
ここでは、Ｓ１２５において、対応端末情報が表示部３４に表示されると、オペレータは、表示された対応端末情報の中から、宛先登録を行いたい画像読取装置１０（以下、「宛先登録予定端末」と称する）の端末情報を選択するものとする。これに応答して、ＨＣ３０のスキャンアプリ制御部３１ａは、宛先登録予定端末の選択を検出する（Ｓ１３０）。
【００５１】
すると、ＨＣ３０のスキャンアプリ制御部３１ａは、ＨＣ３０の識別情報の送信をスキャナ制御部３１ｄに指示する。これに応答して、スキャナ制御部３１ｄは、通信部３５を介して、ＨＣ３０の識別情報を、オペレータによって選択された宛先登録予定端末に送信する（Ｓ１３５）。
【００５２】
ＨＣ３０のスキャンアプリ制御部３１ａは、ＨＣ３０の識別情報を送信すると、宛先登録要求コマンド３００（図６Ａ参照）を生成する（Ｓ１４０）。
【００５３】
なお、図６Ａは、宛先登録要求コマンドの一例を示す図である。「宛先登録要求コマンド３００」は、ＨＣ３０をデータ送信の宛先候補として登録させるためのコマンドである。図６Ａに示す例では、宛先登録要求コマンド３００は、宛先登録要求コマンドＩＤ３０１や、識別情報３０２、送信元ホスト名称３０３、ユーザ設定登録名称３０４、その他３０５の情報を含む構成となっている。
【００５４】
宛先登録要求コマンドＩＤ３０１は、ＨＣ３０の識別情報３０２を送信元の宛先情報として登録することを画像読取装置１０に要求するコマンドである。
【００５５】
識別情報３０２は、送信元の宛先情報として登録されるＨＣ３０の識別情報である。以下、識別情報３０２を「送信元の宛先情報３０２」と称する場合もある。識別情報３０２としては、例えば、ＨＣ３０のＩＰアドレスや待ち受けＰｏｒｔ番号等の情報がある。
【００５６】
送信元ホスト名称３０３は、ＨＣ３０の名称を表す情報である。
ユーザ設定登録名称３０４は、オペレータによって任意に設定されたＨＣ３０の登録名称を表す情報である。
その他の情報３０５は、例えば、認証用データ等である。
【００５７】
Ｓ１４０の後、スキャンアプリ制御部３１ａは、生成された宛先登録要求コマンド３００の送信をスキャナ制御部３１ｄに指示する。これに応答して、スキャナ制御部３１ｄは、宛先登録要求コマンド３００を、画像読取装置１０が解読可能な形式に変換して、通信部３５を介して、宛先登録予定端末に送信する（Ｓ１４５）。
【００５８】
画像読取装置１０は、通信部１５によって、ＨＣ３０から送信された宛先登録要求コマンド３００を受信する（Ｓ２０５）。すると、画像読取装置１０の主制御部１１ａは、情報記憶部１２ａに現在登録されている宛先情報（以下、「登録宛先情報」と称する）の数が登録限界数に達しているか否かを判定する（Ｓ２１０）。
【００５９】
Ｓ２１０の判定で、登録宛先情報の数が登録限界数に達していると判定された場合（“Ｙｅｓ”の場合）に、画像読取装置１０の主制御部１１ａは、通信部１５を介して、宛先登録が失敗した旨を表す登録失敗通知を、宛先登録要求コマンド３００の送信元であるＨＣ３０に送信する（Ｓ２１５）。これにより、宛先情報登録時の一連のルーチンが終了する。
【００６０】
一方、Ｓ２１０の判定で、限界数に達していないと判定された場合（“Ｎｏ”の場合）に、画像読取装置１０の主制御部１１ａは、宛先登録要求コマンド３００を解読して、宛先登録を実行し（Ｓ２２０）、さらに、通信部１５を介して、宛先登録が実行された旨を表す登録通知を、宛先登録要求コマンド３００の送信元であるＨＣ３０に送信する（Ｓ２２５）。これにより、宛先情報登録時の一連のルーチンが終了する。
【００６１】
なお、Ｓ２２０では、主制御部１１ａは、データ送信の宛先となるＨＣ３０の識別情報３０２やデータ送信に必要な各種の情報等を表示部１４に表示させるとともに、それらの情報を例えば図６Ｂに示す登録宛先情報４００として情報記憶部１２ａに登録する。
【００６２】
図６Ｂは、登録宛先情報の一例を示す図である。図６Ｂに示す例では、登録宛先情報４００は、識別情報４０１や、ホスト名称４０２、ユーザ設定登録名称４０３、認証用データ４０４、登録日時４０５、使用日時４０６等の情報を含む構成となっている。
【００６３】
なお、識別情報４０１、ホスト名称４０２、及び、ユーザ設定登録名称４０３は、それぞれ、宛先登録要求コマンド３００に含まれていた識別情報３０２、送信元ホスト名称３０３、ユーザ設定登録名称３０４に対応する情報である。また、認証用データ４０４は、宛先登録要求コマンド３００のその他のデータ３０５に含まれていた認証用データに対応する情報である。また、登録日時４０５、及び、使用日時４０６は、それぞれ、登録宛先情報４００の登録日時、及び、使用日時を表す情報である。
【００６４】
（２）プッシュスキャン機能実行時の動作
画像読取システム１は、ＨＣ３０及び画像読取装置１０に電源が投入されることにより、処理を開始する。ここでは、図３Ａに示すように、まず、画像読取装置１０は、オペレータによって読取対象の原稿が画像読取装置１０の画像読取部１６に設置される（Ｓ３０５）。なお、ここでは、ＨＣ３０は、画像読取装置１０のプッシュスキャン機能に対応可能な状態になっているものとして説明する。
【００６５】
次に、画像読取装置１０は、主制御部１１ａが図示せぬ初期画面を表示部１４に表示させる。そして、画像読取装置１０は、オペレータによって操作部１３が操作されて、プッシュスキャン機能を実行するモードが選択されると、主制御部１１ａがプッシュスキャン機能のメニュー画面を表示部１４に表示させる（Ｓ３１０）。ここでは、メニュー画面は、例えば、図７（ａ）に示す画面になっているものとする。
【００６６】
なお、図７は、実施形態１に係る画像読取装置の表示画面の一例を示す図である。図７（ａ）は、メニュー画面としての、スキャナや、コピー、ＦＡＸ等の機能をオペレータに選択させるための機能選択画面を示している。また、図７（ｂ）は、プッシュスキャンや、スキャンｔｏＥメール、スキャンｔｏＵＳＢメモリ等の出力形式をオペレータに指定させるための形式指定画面を示している。図７（ｃ）は、宛先をオペレータに選択させるための宛先選択画面を示している。
【００６７】
ここでは、オペレータが、図７（ａ）に示すメニュー画面としての機能選択画面で「スキャナ」機能を選択し、図７（ｂ）に示す形式指定画面で「プッシュスキャン」を選択するものとする。これに応答して、画像読取装置１０の主制御部１１ａが、図７（ｃ）に示す宛先選択画面を表示部１４に表示させる（Ｓ３１５）。
【００６８】
このとき、画像読取装置１０は、主制御部１１ａがその時点で情報記憶部１２ａに登録されている登録宛先情報４００（図６Ｂ参照）があるか否かを判定する（Ｓ３２０）。
【００６９】
Ｓ３２０の判定で、登録宛先情報４００があると判定された場合（“Ｙｅｓ”の場合）に、主制御部１１ａは、情報記憶部１２ａから登録宛先情報４００（図６Ｂ参照）を読み出し、登録宛先情報４００の一部又はすべてのリストを表示部１４に表示させる（Ｓ３２５）。
【００７０】
これにより、画像読取装置１０は、画像データの送信先の選択をオペレータに促す。その結果、オペレータが、表示部１４に表示された登録宛先情報４００のリストの中からデータ送信に使用される所望の宛先情報の選択操作を行い、さらに、プッシュスキャン機能の実行開始の指示操作を行う。この後、処理は、「Ａ１」を介して、図３Ｂに示すＳ３３０に進む。
なお、表示された登録宛先情報４００のリストの中に、所望の宛先情報がない場合に、オペレータは、プッシュスキャン機能の実行終了の指示操作を行う。
【００７１】
一方、Ｓ３２０の判定で、登録宛先情報４００がないと判定された場合（“Ｎｏ”の場合）に、処理は、「Ｂ１」を介して、図３Ｂに示すＳ３７１に進む。この場合に、主制御部１１ａは、エラー理由として「登録宛先情報４００がない」旨を表示部１４に表示させる（Ｓ３７１）。そして、主制御部１１ａは、プッシュスキャン機能の実行を終了する（Ｓ３７５）。これにより、プッシュスキャン機能実行時の一連のルーチンが終了する。
【００７２】
Ｓ３２５の後、主制御部１１ａは、オペレータによる宛先情報の選択操作があるか否かを判定する（Ｓ３３０）。
Ｓ３３０の判定で、宛先情報の選択がないと判定された場合（“Ｎｏ”の場合）に、処理は、Ｓ３７５に進む。この場合に、主制御部１１ａは、プッシュスキャン機能の実行を終了する（Ｓ３７５）。これにより、プッシュスキャン機能実行時の一連のルーチンが終了する。
【００７３】
一方、Ｓ３３０の判定で、宛先情報の選択があると判定された場合（“Ｙｅｓ”の場合）に、主制御部１１ａは、オペレータによるプッシュスキャン機能の実行開始の指示操作を検出すると（Ｓ３３５）、図示せぬプッシュスキャン開始要求コマンドを生成し、通信部１５を介して、生成されたプッシュスキャン開始要求コマンドをＨＣ３０に送信する（Ｓ３４０）。
【００７４】
なお、「プッシュスキャン開始要求コマンド」は、プッシュスキャン機能の実行開始をＨＣ３０に要求するコマンドである。プッシュスキャン開始要求コマンドは、画像読取装置１０の識別情報を含んでいる。
【００７５】
ＨＣ３０は、画像読取装置１０からプッシュスキャン開始要求コマンドを受信すると、要求を受け付けるか否かを判定する。
要求を受け付ける場合に、ＨＣ３０は、要求を受け付ける旨の応答（以下、「要求受理応答」と称する）を、プッシュスキャン開始要求コマンドに含まれている識別情報の画像読取装置１０に送信するとともに、画像データの受信待ち状態となる。そして、ＨＣ３０は、画像データを受信すると、画像データを所定のフォーマットに変換して、データ保存部３２ｃに保存する。
一方、要求を受け付けない場合に、ＨＣ３０は、要求を受け付けない旨の応答（以下、「要求不受理応答」と称する）を、プッシュスキャン開始要求コマンドに含まれている識別情報の画像読取装置１０に送信する。
【００７６】
Ｓ３４０の後、画像読取装置１０は、通信部１５が、ＨＣ３０から要求受理応答又は要求不受理応答を受信する。このとき、主制御部１１ａが、ＨＣ３０から要求受理応答の受信があったか否かを判定する（Ｓ３４５）。
【００７７】
Ｓ３４５の判定で、要求受理応答の受信がないと判定された場合（“Ｎｏ”の場合）に、処理は、Ｓ３７１に進む。この場合に、主制御部１１ａは、エラー理由として「要求受理応答の受信がない」旨を表示部１４に表示させる（Ｓ３７１）。そして、主制御部１１ａは、プッシュスキャン機能の実行を終了する（Ｓ３７５）。これにより、プッシュスキャン機能実行時の一連のルーチンが終了する。
【００７８】
一方、Ｓ３４５の判定で、要求受理応答の受信があると判定された場合（“Ｙｅｓ”の場合）に、画像読取装置１０とＨＣ３０との間で、画像読取装置１０を制御するスキャナコマンド通信がネットワーク５０を介して行われる。その結果、画像読取装置１０は、ＨＣ３０からのスキャナコマンドによる制御を受けて、原稿の画像の読み取り及び画像データの送信を行う（Ｓ３５０）。具体的には、画像読取装置１０は、主制御部１１ａが、画像読取部１６（図１参照）に原稿の画像を順次読み取らせながら、画像処理部１１ｃに、画像読取部１６によって読み取られた原稿の画像データを画像処理させ、さらに、画像処理された画像データを画像データ蓄積部１２ｂに格納させる。そして、主制御部１１ａが、通信部１５を介して、画像データ蓄積部１２ｂに格納された画像データを、ＨＣ３０に順次送信する。
【００７９】
画像データ送信が完了すると、画像読取装置１０は、主制御部１１ａが、現在使用中の宛先情報を継続して使用するか否かを問い合わせる画面（以下、「継続使用問合画面（図示せず）」と称する）を表示部１４に表示させる。ここで、「継続使用問合画面」は、例えば、「継続使用する」旨の選択ボタン及び「継続使用しない」旨の選択ボタンを含む構成になっているものとする。オペレータは、継続使用問合画面で「継続使用する」旨の選択ボタン及び「継続使用しない」旨の選択ボタンのいずれか一方を押下する。これに応答して、画像読取装置１０の主制御部１１ａは、オペレータによって押下されたボタンを検出して、現在使用中の宛先情報を継続して使用するか否かを判定する（Ｓ３５５）。
【００８０】
Ｓ３５５の判定で、現在使用中の宛先情報を継続して使用すると判定された場合（“Ｙｅｓ”の場合）に、処理は、Ｓ３３５に戻る。その結果、画像読取装置１０は、Ｓ３３５以降の処理を繰り返す。この場合に、画像読取装置１０の表示部１４に表示された画面は、所望の宛先情報の選択操作後の状態に戻る。これにより、オペレータは、読取対象の原稿を差し替える等した後に、再度、プッシュスキャン機能の実行開始の操作を行うことができる。
【００８１】
一方、Ｓ３５５の判定で、現在使用中の宛先情報を継続して使用しないと判定された場合（“Ｎｏ”の場合）に、処理は、Ｓ３６０に進む。この場合に、主制御部１１ａは、現在使用中の宛先情報を削除するか否かを問い合わせる画面（以下、「削除問合画面（図示せず）」と称する）を表示部１４に表示させる。ここでは、オペレータは、削除問合画面で「削除する」旨の選択ボタン及び「削除しない」旨の選択ボタンのいずれか一方を押下するものとする。これに応答して、画像読取装置１０の主制御部１１ａは、現在使用中の宛先情報を削除するか否かを判定する（Ｓ３６０）。
【００８２】
このとき、主制御部１１ａは、オペレータによって押下されたボタンの種類が「削除する」旨の選択ボタンである場合に、現在使用中の登録宛先情報４００の削除指示を受け付けたものとして処理する。また、主制御部１１ａは、オペレータによって押下されたボタンの種類が「削除しない」旨の選択ボタンである場合に、現在使用中の登録宛先情報４００の使用日時情報４０６の更新を受け付けたものとして処理する。
【００８３】
その結果、Ｓ３６０の判定で、現在使用中の宛先情報を削除すると判定された場合（“Ｙｅｓ”の場合）に、主制御部１１ａは、現在使用中の宛先情報に該当する、情報記憶部１２ａに登録されている登録宛先情報４００（図６Ｂ参照）を情報記憶部１２ａから削除する（Ｓ３６５）。そして、主制御部１１ａは、プッシュスキャン機能の実行を終了する（Ｓ３７５）。これにより、プッシュスキャン機能実行時の一連のルーチンが終了する。
【００８４】
一方、Ｓ３６０の判定で、現在使用中の宛先情報を削除しないと判定された場合（“Ｎｏ”の場合）に、主制御部１１ａは、現在使用中の宛先情報に該当する、情報記憶部１２ａに登録されている登録宛先情報４００（図６Ｂ参照）の使用日時情報４０６の日時を現在時刻に更新する（Ｓ３７０）。そして、主制御部１１ａは、プッシュスキャン機能の実行を終了する（Ｓ３７５）。これにより、プッシュスキャン機能実行時の一連のルーチンが終了する。
【００８５】
このように、画像読取装置１０は、原稿の画像データの送信時（Ｓ３５０）に、Ｓ３７０で、宛先として使用された登録宛先情報４００の使用日時情報４０６（図６Ｂ参照）を更新する。
【００８６】
（３）登録宛先情報削除時の動作
画像読取装置１０は、図２に示す宛先情報登録時の動作で、登録宛先情報４００が情報記憶部１２ａに保存されると、登録宛先情報４００の保存管理を開始する。このとき、主制御部１１ａは、時間監視部１１ｂに対して、各登録宛先情報４００の前回の使用日時以降の経過時間の計測開始を指示するとともに、時間監視部１１ｂに対して、計測された経過時間が事前に設定された保存有効時間を超える登録宛先情報４００がある場合に、その登録宛先情報４００の主制御部１１ａへの通知を指示する。その結果、画像読取装置１０は、時間監視部１１ｂが、動作を開始する。
【００８７】
ここでは、図４に示すように、まず、画像読取装置１０は、時間監視部１１ｂが、情報記憶部１２ａに登録された各登録宛先情報４００（図６Ｂ参照）を参照し（Ｓ５０５）、各登録宛先情報４００の前回の使用日時以降の経過時間を計測する（Ｓ５１０）。このとき、時間監視部１１ｂは、情報記憶部１２ａに登録された各登録宛先情報４００の使用日時情報４０６の時刻から現在時刻の差分を算出することによって、各登録宛先情報４００の前回使用日時以降の経過時間を計測する。
【００８８】
次に、時間監視部１１ｂは、各登録宛先情報４００の前回使用日時以降の経過時間と保存有効時間とを比較して、前回使用日時以降の経過時間が保存有効時間を超える登録宛先情報４００があるか否かを判定する（Ｓ５１５）。
【００８９】
Ｓ５１５の判定で、前回使用日時以降の経過時間が保存有効時間を超える登録宛先情報４００がないと判定された場合（“Ｎｏ”の場合）に、時間監視部１１ｂは、保存有効時間を超える登録宛先情報４００がない旨の通知を主制御部１１ａに出力する。これにより、宛先情報削除時の一連のルーチンが終了する。
【００９０】
一方、Ｓ５１５の判定で、前回使用日時以降の経過時間が保存有効時間を超える登録宛先情報４００があると判定された場合（“Ｙｅｓ”の場合）に、時間監視部１１ｂは、保存有効時間を超える登録宛先情報４００がある旨の通知を主制御部１１ａに出力する。このとき通知された登録宛先情報４００は、情報記憶部１２ａから削除する対象となる。以下、このとき通知された登録宛先情報４００を「削除対象の登録宛先情報４００」と称する。
【００９１】
主制御部１１ａは、時間監視部１１ｂから保存有効時間を超える登録宛先情報４００がある旨の通知が入力されると、削除対象の登録宛先情報４００が使用中であるか否かを判定する（Ｓ５２０）。
【００９２】
Ｓ５２０の判定で、削除対象の登録宛先情報４００が使用中であると判定された場合（“Ｙｅｓ”の場合）に、主制御部１１ａは、削除対象の登録宛先情報４００の使用が終了したと判定されるまで、削除対象の登録宛先情報４００の使用が終了したか否かを繰り返し判定する（Ｓ５２５）。
【００９３】
Ｓ５２０の判定で、削除対象の登録宛先情報４００が使用中でないと判定された場合（“Ｎｏ”の場合）に、又は、Ｓ５２５の判定で、削除対象の登録宛先情報４００の使用が終了したと判定された場合（“Ｙｅｓ”の場合）に、主制御部１１ａは、削除対象の登録宛先情報４００を情報記憶部１２ａから削除する（Ｓ５３０）。これにより、宛先情報削除時の一連のルーチンが終了する。
【００９４】
このような画像読取システム１は、以下の特徴を有している。
画像読取装置１０は、図４に示すルーチンの処理を実行することにより、時間監視部１１ｂによって計測された前回使用日時以降の経過時間が所定の保存有効時間を超える登録宛先情報４００を情報記憶部１２ａから削除する。その際に、削除対象の登録宛先情報４００がオペレータによるプッシュスキャン機能で利用されている間は、削除対象の登録宛先情報４００を情報記憶部１２ａから削除せずに、情報記憶部１２ａに保存したままの状態とする。そして、画像読取装置１０は、オペレータによるプッシュスキャン機能での削除対象の登録宛先情報４００の利用が終了するのを待って、削除対象の登録宛先情報４００を情報記憶部１２ａから削除する。
【００９５】
また、画像読取装置１０は、登録宛先情報４００の前回使用日時以降の経過時間が保存有効時間を超えない場合であっても、図３Ｂに示すＳ３６０で、オペレータが削除問合画面で「削除する」旨の選択ボタンを押下したときに、図３Ｂに示すＳ３６５で登録宛先情報４００を情報記憶部１２ａから削除する。
【００９６】
また、画像読取装置１０は、多数のＨＣ３０からプッシュスキャン機能が提供される環境であっても、プッシュスキャン機能の実行時に、画像読取装置１０の表示部１４に表示される宛先候補を、一定時間（ここでは、予め定められた保存有効時間）内に使用されたＨＣ３０に限定することができる。したがって、画像読取装置１０は、データの送信頻度の高い宛先候補となるＨＣ３０のみを限定して、表示部１４に表示することができる。そのため、画像読取装置１０は、オペレータが宛先指定を行う際の負担を軽減することができるとともに、オペレータが所望する宛先とは異なる宛先へ画像データを誤送信してしまうことを抑制することができる。
【００９７】
さらに、従来の画像読取システムは、永続的に多数の宛先情報を保存することを考慮して画像読取装置を構成する必要があった。そのため、従来の画像読取システムは、コストが高騰する傾向にあった。これに対して、本実施形態１に係る画像読取システム１は、宛先情報が一時的に画像読取装置１０の情報記憶部１２ａに保存されるだけであるので、情報記憶部１２ａの記憶領域を大きく確保する必要がない。そのため、本実施形態１に係る画像読取システム１は、コストを抑制することができる。
【００９８】
以上の通り、本実施形態１に係る画像読取システム１によれば、プッシュスキャン機能の実行時に、画像読取装置１０の表示部１４に表示される宛先候補を、一定時間（ここでは、予め定められた保存有効時間）内に使用されたＨＣ３０に限定することができる。したがって、画像読取システム１によれば、データの送信頻度の高い宛先候補となるＨＣ３０のみを限定して、画像読取装置１０の表示部１４に表示させることができる。
【００９９】
［実施形態２］
本実施形態２に係る画像読取システム１Ｂに用いる画像読取装置１０Ｂ（図８参照）は、実施形態１に係る画像読取システム１に用いた画像読取装置１０（図１参照）と比較すると、一時記憶部１２ａａと永続（継続）記憶部１２ａｂとに区画されている点で相違している。それ以外の構成は、実施形態１と同様であるので説明を省略する。なお、図８は、実施形態２に係る画像読取システムの構成を示すブロック図である。
【０１００】
一時記憶部１２ａａは、データ送信の宛先情報を一時的に登録する記憶領域である。以下、一時記憶部１２ａａに登録された宛先情報を「一時宛先情報５００ａ（図示せず）」と称する。
【０１０１】
永続（継続）記憶部１２ａｂは、データ送信の宛先情報を永続（継続）的に登録する記憶領域である。以下、永続記憶部１２ａｂに登録された宛先情報を「永続宛先情報５００ｂ（図示せず）」と称する。
【０１０２】
なお、一時宛先情報５００ａ及び永続宛先情報５００ｂは、図６Ｂに示す登録宛先情報４００と同じ形式になっている。一時宛先情報５００ａは、時限的に削除される。一方、永続宛先情報５００ｂは、一時宛先情報５００ａと異なり、時限的に削除されることがなく、オペレータが意図的に削除する場合を除いて、永続的に保存される。
【０１０３】
なお、図８に示す例では、画像読取システム１Ｂは、１台の画像読取装置１０Ｂと１台のＨＣ３０とが接続された構成となっている。しかしながら、画像読取システム１Ｂは、任意の台数の画像読取装置１０Ｂと任意の台数のＨＣ３０とが接続された構成となっていてもよい。
【０１０４】
以下、図９Ａ〜図９Ｃを参照して、画像読取システム１Ｂの動作につき説明する。なお、図９Ａ〜図９Ｃは、実施形態２に係る画像読取システムのプッシュスキャン機能実行時の動作を示すフローチャートである。ここでは、実施形態１に係る画像読取システム１と相違する動作を重点的に説明し、実施形態１に係る画像読取システム１と同様の動作（図２、図３Ａ、図３Ｂ、及び、図４参照）については、前記した実施形態１に係る画像読取システム１の動作を本実施形態２に係る画像読取システム１Ｂの動作に読み替えるものとして、詳細な説明を省略する。
【０１０５】
なお、図９Ａ〜図９Ｃにおいて、図３Ａ及び図３Ｂに示す実施形態１に係る画像読取システム１の処理とほぼ同様の処理であるものの、一部で相違する処理については、符号の末尾に英文字記号「ａ」〜「ｃ」を付加して示す。
【０１０６】
図９Ａに示すＳ３２０ａは、図３Ａに示すＳ３２０と比較すると、判定の対象が情報記憶部１２ａの一時記憶部１２ａａに登録されている一時宛先情報５００ａとなっている点、及び、一時記憶部１２ａａに保存されている一時宛先情報５００ａを対象にして、処理が行われる点で相違する。
図９Ａに示すＳ３２５ａは、図３Ａに示すＳ３２５と比較すると、登録宛先情報４００の一部又はすべてのリストの代わりに、一時宛先情報５００ａの一部又はすべてのリストが表示部１４に表示される点、及び、その表示される画面に後記する図示せぬ「永続登録選択ボタン」と図示せぬ「登録不用選択ボタン」とが含まれている点で相違する。
図９Ｂに示すＳ３３０ｂ〜Ｓ３７５ｂは、図３Ｂに示すＳ３３０〜Ｓ３７５と比較すると、一時記憶部１２ａａに保存されている一時宛先情報５００ａを対象にして、処理が行われる点で相違する。
図９Ｃに示すＳ３３０ｃ〜Ｓ３７５ｃは、図３Ｂに示すＳ３３０〜Ｓ３７５と比較すると、永続記憶部１２ａｂに保存されている永続宛先情報５００ｂを対象にして、処理が行われる点で相違する。
【０１０７】
本実施形態２に係る画像読取システム１Ｂの動作の特徴は、実施形態１に係る画像読取システム１と同様の動作が可能であることに加えて、永続記憶部１２ａｂに保存された各永続宛先情報５００ｂを個別に利用できる点である。
【０１０８】
本実施形態２に係る画像読取システム１Ｂの宛先情報登録時の動作及び登録宛先情報削除時の動作は、実施形態１に係る画像読取システム１の宛先情報登録時の動作（図２参照）及び登録宛先情報削除時の動作（図４参照）と同様であるので、説明を省略する。ただし、本実施形態２では、画像読取システム１Ｂは、宛先情報登録時に、宛先情報を一時宛先情報５００ａとして情報記憶部１２ａの一時記憶部１２ａａに登録する。
【０１０９】
図９Ａ〜図９Ｃに示すように、本実施形態２に係る画像読取システム１Ｂは、登録宛先情報削除時の動作が、実施形態１に係る画像読取システム１の動作（図３Ａ及び図３Ｂ参照）と相違する。したがって、ここでは、本実施形態２に係る画像読取システム１Ｂの登録宛先情報削除時の動作を重点的に説明する。
【０１１０】
なお、ここでは、ＨＣ３０は、画像読取装置１０Ｂのプッシュスキャン機能に対応可能な状態になっているものとして説明する。また、Ｓ３２５ａで表示部１４に表示される画面は、図７（ｃ）に示す画面に対して、登録宛先情報４００の一部又はすべてのリストの代わりに、一時宛先情報５００ａの一部又はすべてのリストを含み、さらに、図示せぬ「データ送信に使用される宛先情報を永続登録する」旨の選択ボタン（以下、「永続登録選択ボタン」と称する）と図示せぬ「データ送信に使用される宛先情報を永続登録しない」旨の選択ボタン（以下、「登録不用選択ボタン」と称する）とが付加された構成になっているものとして説明する。
【０１１１】
図９Ａに示すように、まず、画像読取装置１０Ｂは、オペレータによって読取対象の原稿が画像読取装置１０の画像読取部１６に設置される（Ｓ３０５）。すると、画像読取装置１０Ｂは、実施形態１に係る画像読取装置１０と同様に、Ｓ３１０〜Ｓ３１５の処理を行う。
【０１１２】
Ｓ３１５の後、画像読取装置１０Ｂは、情報記憶部１２ａの一時記憶部１２ａａに登録されている一時宛先情報５００ａを対象にして、主制御部１１ａがその時点で一時記憶部１２ａａに登録されている一時宛先情報５００ａがあるか否かを判定する（Ｓ３２０ａ）。
【０１１３】
なお、実施形態１では、Ｓ３２０の判定で、一時記憶部１２ａａに登録されている一時宛先情報５００ａがないと判定された場合（“Ｎｏ”の場合）に、処理が、「Ｂ１」を介して、図３Ｂに示すＳ３７１に進む。これに対し、本実施形態２では、Ｓ３２０ａの判定で、一時宛先情報５００ａがないと判定された場合（“Ｎｏ”の場合）に、処理は、Ｓ４０１に進む。この場合に、主制御部１１ａは、「一時宛先情報が一時記憶部１２ａａに未登録である」旨を表示部１４に表示させる（Ｓ４０１）。ただし、画像読取装置１０Ｂは、これをもってプッシュスキャン機能の実行をエラー終了させずに、継続してオペレータの操作の受け付けを可能とする。この後、処理は、Ｓ４１５に進む。
【０１１４】
なお、Ｓ３２０ａの判定で、一時宛先情報５００ａがあると判定された場合（“Ｙｅｓ”の場合）に、主制御部１１ａは、一時記憶部１２ａａから一時宛先情報５００ａを読み出し、一時宛先情報５００ａの一部又はすべてのリストを表示部１４に表示させる（Ｓ３２５ａ）。
【０１１５】
ただし、Ｓ３２５ａでは、このとき表示される画面は、図７（ｃ）に示す画面に対し、前記した図示せぬ「永続登録選択ボタン」と図示せぬ「登録不用選択ボタン」とが付加された構成となっている。したがって、画像読取装置１０Ｂは、これらを表示することにより、画像データの送信先の選択及び宛先情報の永続登録を行うか否かの選択をオペレータに促す。その結果、オペレータが、表示部１４に表示された一時宛先情報５００ａのリストの中から所望の宛先情報の選択操作を行い、続けて、永続登録を行うか否かの選択操作を行い、さらに、プッシュスキャン機能の実行開始の指示操作を行う。
【０１１６】
なお、実施形態１では、Ｓ３２５の後、処理が、「Ａ１」を介して、図３Ｂに示すＳ３３０に進む。これに対し、本実施形態２では、Ｓ４０５〜Ｓ４２０の処理がＳ３２５ａとＳ３３０ｂとの間に設けられており、Ｓ３２５ａの後、処理が、Ｓ４０５に進む。
【０１１７】
具体的には、Ｓ３２５ａの後、画像読取装置１０Ｂの主制御部１１ａは、オペレータによって押下されたボタンを検出して、データ送信に使用される、一時記憶部１２ａａから読み出された一時宛先情報５００ａ（以下、「データ送信に使用される宛先情報」と称する）を、永続記憶部１２ａｂに永続登録する否かを判定する（Ｓ４０５）。
【０１１８】
Ｓ４０５の判定で、データ送信に使用される宛先情報を永続記憶部１２ａｂに永続登録すると判定された場合（“Ｙｅｓ”の場合）に、主制御部１１ａは、データ送信に使用される宛先情報を永続登録対象の宛先情報とし、その永続登録対象の宛先情報を一時記憶部１２ａａから永続記憶部１２ａｂに複製することにより、永続宛先情報５００ｂを永続記憶部１２ａｂに保存させる（Ｓ４１０）。この後、処理は、Ｓ４１５に進む。
【０１１９】
なお、Ｓ４０５の判定で、データ送信に使用される宛先情報を永続記憶部１２ａｂに永続登録しないと判定された場合（“Ｎｏ”の場合）に、処理は、Ｓ４１５に進む。
【０１２０】
Ｓ４０１の後、Ｓ４１０の後、又は、Ｓ４０５の判定で、データ送信に使用される宛先情報を永続記憶部１２ａｂに永続登録しないと判定された場合（“Ｎｏ”の場合）に、主制御部１１ａは、永続宛先情報５００ｂを利用するか否かを問い合わせる画面（以下、「永続宛先情報利用問合画面（図示せず）」と称する）を表示部１４に表示させる。ここで、「永続宛先情報利用問合画面」は、例えば、「永続宛先情報５００ｂを利用する」旨の選択ボタン及び「永続宛先情報５００ｂを利用しない」旨の選択ボタンを含む構成になっているものとする。
【０１２１】
オペレータは、永続宛先情報利用問合画面で「永続宛先情報５００ｂを利用する」旨の選択ボタン及び「永続宛先情報５００ｂを利用しない」旨の選択ボタンのいずれか一方を押下する。これに応答して、画像読取装置１０の主制御部１１ａは、オペレータによって押下されたボタンを検出して、永続宛先情報５００ｂを利用するか否かを判定する（Ｓ４１５）。
【０１２２】
Ｓ４１５の判定で、永続宛先情報５００ｂを利用しないと判定された場合（“Ｎｏ”の場合）に、処理は、「Ａ２」を介して、図９Ｂに示すＳ３３０ｂに進む。この場合に、画像読取装置１０Ｂは、一時記憶部１２ａａに保存されている一時宛先情報５００ａを対象にして、図９Ｂに示すＳ３３０ｂ以降の処理を行う。
【０１２３】
したがって、画像読取装置１０Ｂは、Ｓ４１５の判定で、永続宛先情報５００ｂを利用しないと判定された場合（“Ｎｏ”の場合）で、かつ、Ｓ３３０ｂの判定で、オペレータによる宛先情報の選択操作があると判定された場合（“Ｙｅｓ”の場合）に、一時記憶部１２ａａに保存されている一時宛先情報５００ａを対象にして、Ｓ３３５ｂ以降の処理を行う。
【０１２４】
また、画像読取装置１０Ｂは、Ｓ４１５の判定で、永続宛先情報５００ｂを利用しないと判定された場合（“Ｎｏ”の場合）で、かつ、Ｓ３３０ｂの判定で、オペレータによる宛先情報の選択操作がないと判定された場合（“Ｎｏ”の場合）に、一時記憶部１２ａａに保存されている一時宛先情報５００ａを対象にして、Ｓ３７５ｂ以降の処理を行う。
【０１２５】
一方、Ｓ４１５の判定で、永続宛先情報５００ｂを利用すると判定された場合（“Ｙｅｓ”の場合）に、主制御部１１ａは、永続記憶部１２ａｂから永続宛先情報５００ｂを読み出し、永続宛先情報５００ｂの一部又はすべてのリストを表示部１４に表示させる（Ｓ４２０）。
【０１２６】
これにより、画像読取装置１０は、画像データの送信先の選択をオペレータに促す。その結果、オペレータが、表示部１４に表示された永続宛先情報５００ｂのリストの中から所望の宛先情報の選択操作を行い、さらに、プッシュスキャン機能の実行開始の指示操作を行う。なお、表示された永続宛先情報５００ｂのリストの中に、所望の宛先情報がない場合に、オペレータは、プッシュスキャン機能の実行終了の指示操作を行う。
【０１２７】
この後、処理は、「Ａ３」を介して、図９Ｃに示すＳ３３０ｃに進む。この場合に、画像読取装置１０Ｂは、永続記憶部１２ａｂに保存されている永続宛先情報５００ｂを対象にして、図９Ｃに示すＳ３３０ｃ以降の処理を行う。
【０１２８】
したがって、画像読取装置１０Ｂは、Ｓ４１５の判定で、永続宛先情報５００ｂを利用すると判定された場合（“Ｙｅｓ”の場合）で、かつ、Ｓ３３０ｃの判定で、オペレータによる宛先情報の選択操作があると判定された場合（“Ｙｅｓ”の場合）に、永続記憶部１２ａｂに保存されている永続宛先情報５００ｂを対象にして、Ｓ３３５ｃ以降の処理を行う。
【０１２９】
ただし、この場合に、Ｓ３５５ｃの判定で、現在使用中の宛先情報を継続して使用しない（“Ｎｏ”）と判定されると、処理は、Ｓ３７０ｃに進む。そして、主制御部１１ａは、現在使用中の宛先情報に該当する、永続記憶部１２ａｂに登録されている永続宛先情報５００ｂの使用日時情報の日時を現在時刻に更新する（Ｓ３７０ｃ）。
【０１３０】
また、画像読取装置１０Ｂは、Ｓ４１５の判定で、永続宛先情報５００ｂを利用すると判定された場合（“Ｙｅｓ”の場合）で、かつ、Ｓ３３０ｃの判定で、オペレータによる宛先情報の選択操作がないと判定された場合（“Ｎｏ”の場合）に、永続記憶部１２ａｂに保存されている永続宛先情報５００ｂを対象にして、Ｓ３７５ｃ以降の処理を行う。
【０１３１】
このように、画像読取装置１０Ｂは、情報記憶部１２ａを一時記憶部１２ａａと永続記憶部１２ａｂとに区画し、宛先情報を一時宛先情報５００ａと永続宛先情報５００ｂとの２種類保存する構成となっている。
【０１３２】
係る構成において、画像読取装置１０Ｂは、主制御部１１ａが、図２に示すルーチンの処理を実行することにより、ＨＣ３０の宛先情報を一時宛先情報５００ａとして一時記憶部１２ａａに登録させた後、ＨＣ３０の宛先情報の永続的な登録指示を受け付け場合に、図９ＡのＳ４１０の処理を実行することにより、ＨＣ３０の宛先情報を永続宛先情報５００ｂとして永続記憶部１２ａｂに登録させる。
【０１３３】
なお、実施形態１に係る画像読取システム１は、プッシュスキャン機能の実行時に、一定時間（ここでは、予め定められた保存有効時間）内に、ＨＣ３０の宛先情報がデータ送信の宛先として使用されていなければ、そのＨＣ３０の宛先情報をデータ送信の宛先情報として利用することができない。したがって、実施形態１に係る画像読取システム１は、一定時間内に使用されていないＨＣ３０の宛先情報をデータ送信の宛先情報として利用するためには、ＨＣ３０がプッシュスキャン機能の実行に際して事前に宛先登録要求コマンド３００を送信しておく必要がある。
【０１３４】
これに対して、本実施形態２に係る画像読取システム１Ｂは、画像読取装置１０Ｂの情報記憶部１２ａを一時記憶部１２ａａと永続記憶部１２ａｂとに区画し、ＨＣ３０の宛先情報として一時宛先情報５００ａと永続宛先情報５００ｂとの２種類保存する。そのため、本実施形態２に係る画像読取システム１Ｂは、ＨＣ３０の宛先情報が永続宛先情報５００ｂとして画像読取装置１０の永続記憶部１２ａｂに一度登録されていれば、プッシュスキャン機能の実行時に、永続記憶部１２ａｂに登録されたＨＣ３０の宛先情報を、いつでも、データ送信の宛先情報として利用することができる。しかも、画像読取システム１Ｂは、ＨＣ３０の宛先情報が永続宛先情報５００ｂとして画像読取装置１０の永続記憶部１２ａｂに一度登録されていれば、ＨＣ３０がプッシュスキャン機能の実行に際して事前に宛先登録要求コマンド３００を送信しておく必要がない。
【０１３５】
以上の通り、本実施形態２に係る画像読取システム１Ｂによれば、実施形態１に係る画像読取システム１と同様に、プッシュスキャン機能の実行時に、画像読取装置１０Ｂの表示部１４に表示される宛先候補を、一定時間（ここでは、予め定められた保存有効時間）内に使用されたＨＣ３０に限定することができる。したがって、画像読取システム１Ｂによれば、データの送信頻度の高い宛先候補となるＨＣ３０のみを限定して、画像読取装置１０Ｂの表示部１４に表示させることができる。
【０１３６】
また、本実施形態２に係る画像読取システム１Ｂによれば、ＨＣ３０の宛先情報が永続宛先情報５００ｂとして画像読取装置１０の永続記憶部１２ａｂに一度登録されていれば、プッシュスキャン機能の実行時に、永続記憶部１２ａｂに登録されたＨＣ３０の宛先情報を、いつでも、データ送信の宛先情報として利用することができる。しかも、画像読取システム１Ｂによれば、ＨＣ３０の宛先情報が永続宛先情報５００ｂとして画像読取装置１０の永続記憶部１２ａｂに一度登録されていれば、ＨＣ３０がプッシュスキャン機能の実行に際して事前に宛先登録要求コマンド３００を送信する動作を削除することができる。
【０１３７】
さらに、本実施形態２に係る画像読取システム１Ｂによれば、一時宛先情報５００ａとして登録されたＨＣ３０の宛先情報を永続宛先情報５００ｂに簡易に追加登録することができる。その結果、オペレータは、即時的なプッシュスキャン機能の利用ために、ＨＣ３０から宛先登録コマンド３００を画像読取装置１０Ｂに送信させて、ＨＣ３０の宛先情報を一時宛先情報５００ａとして画像読取装置１０Ｂの一時記憶部１２ａａに登録させる操作と、長期的なプッシュスキャン機能の利用のために、画像読取装置１０Ｂの操作部１３を操作して、ＨＣ３０の宛先情報を永続宛先情報５００ｂとして画像読取装置１０Ｂの永続記憶部１２ａｂに登録させる操作とをスムーズに行うことができる。
【０１３８】
本発明は、前記した実施形態に限定されることなく、本発明の要旨を逸脱しない範囲で種々の変更や変形を行うことができる。
【０１３９】
（変形例１）
例えば、宛先登録要求コマンド３００及び登録宛先情報４００は、適宜変形することができる。図１０Ａは、宛先登録要求コマンドの変形例を示す図である。また、図１０Ｂは、登録宛先情報の変形例を示す図である。
【０１４０】
図１０Ａに示す宛先登録要求コマンド３００ａは、図６Ａに示す宛先登録要求コマンド３００に対して、識別情報３０２の登録の有効時間を規定する保存有効時間情報３０６が付加された構成となっている。
【０１４１】
また、図１０Ｂに示す登録宛先情報４００ａは、図１０Ａに示す宛先登録要求コマンド３００ａに対応する形態となっており、図６Ｂに示す登録宛先情報４００に対して、識別情報３０２の登録の有効時間を規定する保存有効時間情報４０７が付加された構成となっている。
【０１４２】
画像読取システム１は、これら宛先登録要求コマンド３００ａ及び登録宛先情報４００ａを用いることにより、例えば、以下のように動作する。
【０１４３】
まず、ＨＣ３０が、宛先登録要求コマンド３００ａを画像読取装置１０に送信する。画像読取装置１０は、ＨＣ３０から宛先登録要求コマンド３００ａを受信すると、主制御部１１ａが、宛先登録要求コマンド３００ａに基づいて、登録宛先情報４００ａを情報記憶部１２ａに登録する。このとき、主制御部１１ａは、宛先登録要求コマンド３００ａの保存有効時間情報３０６と同じ値を、登録宛先情報４００ａの保存有効時間情報４０７として情報記憶部１２ａに登録する。
【０１４４】
なお、画像読取装置１０の時間監視部１１ｂは、情報記憶部１２ａに登録された各登録宛先情報４００ａの使用日時情報４０６及び保存有効時間情報４０７を参照して、使用日時情報４０６の時刻から現在時刻の差分を算出することによって、前回使用日時以降の経過時間を計測し、さらに、前回使用日時以降の経過時間と保存有効時間情報４０７によって指定された保存有効時間とを比較する。これにより、時間監視部１１ｂは、前回使用日時以降の経過時間が保存有効時間を超える登録宛先情報４００ａがある場合に、保存有効時間を超える登録宛先情報４００ａがある旨の通知を主制御部１１ａに出力する。これに応答して、主制御部１１ａは、その登録宛先情報４００ａを情報記憶部１２ａから削除する。
【０１４５】
係る構成では、画像読取装置１０は、宛先登録要求コマンド３００ａの保存有効時間情報３０６によって指定された保存有効時間に従って、登録宛先情報４００の保存及び削除を管理することができる。したがって、係る構成では、オペレータは、宛先情報の登録を要求するＨＣ３０側の操作によって、登録宛先情報４００の保存有効時間を指定することができる。
【０１４６】
（変形例２）
また、例えば、実施形態１では、ＨＣ３０は、オペレータによって選択された任意の画像読取装置１０に対して宛先登録要求コマンド３００を送信している。しかしながら、ＨＣ３０は、ネットワーク５０上に複数台の画像読取装置１０が接続されている場合に、同時に、複数の宛先に対して宛先登録要求コマンド３００を送信するようにしてもよい。例えば、ＨＣ３０は、同時に、スキャンアプリ６０が検出した、自身が提供するプッシュスキャン機能に対応したすべての画像読取装置１０に対して、宛先登録要求コマンド３００を送信するようにしてもよい。
【０１４７】
（変形例３）
また、例えば、実施形態２では、画像読取装置１０Ｂは、一時宛先情報５００ａを表示部１４に表示した後に、永続宛先情報５００ｂを表示部１４に表示する構成となっている。しかしながら、画像読取装置１０Ｂは、一時宛先情報５００ａを表示部１４に表示する前の段階で、永続宛先情報５００ｂを表示部１４に表示することができる構成にしてもよい。このような構成は、例えば、一時宛先情報５００ａ及び永続宛先情報５００ｂのいずれか一方を表示させるための選択ボタンを、プッシュスキャン機能のメニュー画面に設けることによって、実現することができる。
【０１４８】
（変形例４）
また、例えば、実施形態２では、画像読取装置１０Ｂは、一時記憶部１２ａａに登録された一時宛先情報５００ａの中からオペレータによって選択された宛先情報を永続記憶部１２ａｂに複製することによって、永続宛先情報５００ｂを永続記憶部１２ａｂに登録している。しかしながら、画像読取装置１０Ｂは、これ以外の方法で、永続宛先情報５００ｂを永続記憶部１２ａｂに登録するようにしてもよい。例えば、オペレータが、ＨＣ３０を操作して、画像読取装置１０Ｂから、画像読取装置１０Ｂの永続記憶部１２ａｂに登録された永続宛先情報５００ｂのリストを取得し、そのリストを編集する。画像読取装置１０Ｂは、ＨＣ３０からの指示により、その編集されたリストを永続記憶部１２ａｂに登録するようにしてもよい。
【０１４９】
（変形例５）
また、例えば、実施形態２では、画像読取装置１０Ｂは、オペレータがＳ３２５ｃでデータ送信の宛先を選択した後に、Ｓ４１０で永続登録対象の宛先情報である一時宛先情報５００ａを一時記憶部１２ａａから永続記憶部１２ａｂに複製することにより、永続宛先情報５００ｂを永続記憶部１２ａｂに保存している。しかしながら、画像読取装置１０Ｂは、永続宛先情報５００ｂの保存のタイミングを変更することができる。例えば、画像読取装置１０Ｂは、一時宛先情報５００ａを使用してプッシュスキャン機能を実行し、画像データの送信が完了後に、永続宛先情報５００ｂを保存するようにしてもよい。このような構成は、例えば、画像データの送信が完了後に、使用された一時宛先情報５００ａを永続登録するか否かをオペレータに間い合わせる画面を表示部１４に表示し、永続登録する選択がなされた場合に、使用された一時宛先情報５００ａを一時記憶部１２ａａから永続記憶部１２ａｂに複製することによって、実現することができる。
【０１５０】
（変形例６）
また、例えば、実施形態１及び実施形態２では、画像読取装置１０，１０Ｂは、前回使用日時以降の経過時間が有効保存時間を超える登録宛先情報４００（一時宛先情報５００ａ）を情報記憶部１２ａから削除する構成となっている。しかしながら、画像読取装置１０，１０Ｂは、登録日時以降の経過時間が有効保存時間を超える登録宛先情報４００（一時宛先情報５００ａ）を情報記憶部１２ａから削除するようにしてもよい。なお、「登録日時以降の経過時間」は、時間監視部１１ｂが登録日時情報４０５（図６Ｂ参照）の時刻から現在時刻の差分を算出することによって、計測される。
【０１５１】
（変形例７）
また、例えば、実施形態１及び実施形態２では、画像読取装置１０，１０ＢとＨＣ３０とは、ネットワーク５０によって接続されている。しかしながら、画像読取装置１０，１０ＢとＨＣ３０との接続は、画像読取装置１０，１０ＢとＨＣ３０とが通信可能であれば、ネットワーク５０以外によって接続されていてもよい。例えば、画像読取装置１０，１０ＢとＨＣ３０とは、赤外線通信や、Ｂｌｕｅｔｏｏｔｈ（登録商標）等によって、接続されていてもよい。
【０１５２】
（変形例８）
また、例えば、実施形態１及び実施形態２では、ＨＣ３０がパーソナルコンピュータとして構成されている場合を想定して説明している。しかしながら、ＨＣ３０は、同様の構成要素を備えていれば、大型のコンピュータや、携帯電話等の小型の端末装置として構成することもできる。
【符号の説明】
【０１５３】
１    画像読取システム
１０，１０Ｂ    画像読取装置
１１    制御部
１１ａ    主制御部
１１ｂ    時間監視部
１１ｃ    画像処理部
１２    記憶部
１２ａ    情報記憶部
１２ａａ    一時記憶部
１２ａｂ    永続記憶部
１２ｂ    画像データ蓄積部
１３    操作部（入力部）
１４    表示部
１５    通信部
１６    画像読取部
３０    ホストコンピュータ（ＨＣ）
３１    制御部
３１ａ    スキャンアプリ制御部
３１ｂ    プッシュスキャン開始要求監視部
３１ｃ    画像加工処理部
３１ｄ    スキャナ制御部
３２    記憶部
３２ａ    設定記憶部
３２ｂ    アプリ記憶部
３２ｃ    データ保存部
３３    操作部
３４    表示部
３５    通信部
５０    ネットワーク
６０    スキャンアプリ
２００    ユーザインタフェース画面
２０１    プッシュスキャン宛先登録ボタン
２０２    プッシュスキャン開始ボタン
２０３    読取条件設定ボタン
２０４    受信画像データの取扱設定ボタン
３００，３００ａ    宛先登録要求コマンド
３０１    宛先登録要求コマンドＩＤ
３０２    送信元の宛先情報（識別情報）
３０３    送信元ホスト名称
３０４    ユーザ設定登録名称
３０５    その他（認証用データ等）
４００    登録宛先情報
【図１】
2013074366.tif 000003
【図２】
2013074366.tif 000004
【図３Ａ】
2013074366.tif 000005
【図３Ｂ】
2013074366.tif 000006
【図４】
2013074366.tif 000007
【図５】
2013074366.tif 000008
【図６Ａ】
2013074366.tif 000009
【図６Ｂ】
2013074366.tif 000010
【図７】
2013074366.tif 000011
【図８】
2013074366.tif 000012
【図９Ａ】
2013074366.tif 000013
【図９Ｂ】
2013074366.tif 000014
【図９Ｃ】
2013074366.tif 000015
【図１０Ａ】
2013074366.tif 000016
【図１０Ｂ】
2013074366.tif 000017